(57)【特許請求の範囲】
【請求項１】
水と湯とを混合した湯水を吐水部から吐水及び吐水停止を行うための回動弁を軸方向が左右方向を向いた筒体部内に回動自在に嵌め込み、レバーハンドルの後端部を回動弁の軸方向の一端部に取付けて筒体部の軸方向の端面に沿わせて筒体部の前方に突出させて該前方への突出部分に筒体部の前面の前方に位置する覆い部を設けると共に該覆い部から前方に操作部を突出させ、筒体部及びレバーハンドルの後端部を断熱カバー部で覆うと共に断熱カバー部の前面に設けた筒体部の前面の略全長に沿って形成した前面開口部をレバーハンドルの覆い部で覆い、該覆い部から前方に向けて筒体部の軸方向に沿った操作部を突出させて成ることを特徴とする湯水混合水栓装置。
【請求項２】
２つの異なる吐水部から吐水及び吐水停止をそれぞれ独立して行うための２つの回動弁を筒体部内の軸方向の一方の片側半部と他方の片側半分とに回動自在に嵌め込み、一方の回動弁の軸方向の一端部に取付けた一方のレバーハンドルを筒体部の一端面に沿わせると共に該一方のレバーハンドルに筒体部の前面の一方の片側半分の前方に位置する覆い部を設けると共に該覆い部から前方に操作部を突出させ、他方の回動弁の軸方向の他端部に取付けた他方のレバーハンドルを筒体部の他端面に沿わせると共に該他方のレバーハンドルに筒体部の前面の他の片側半分の前方に位置する覆い部を設けると共に該覆い部から前方に操作部を突出させ、筒体部及び両レバーハンドルの筒体部の端面に沿った部分を断熱カバー部で覆うと共に断熱カバー部の前面に設けた筒体部の前面の略全長に沿って形成した前面開口部を両レバーハンドルの覆い部で覆うことを特徴とする請求項１記載の湯水混合水栓装置。
【請求項３】
両開レバーハンドルの覆い部からそれぞれ前方に向けて筒体部の軸方向に沿った操作部を突出させると共に、両操作部を筒体部の軸方向に沿って並設し、この並設した２つの操作部の並設方向の長さの合計が筒体部の軸方向の長さより長いことを特徴とする請求項２記載の湯水混合水栓装置。
【発明の詳細な説明】
【技術分野】
【０００１】
本発明は、湯水混合水栓装置に関するものである。
【背景技術】
【０００２】
従来から、湯水混合部で混合した湯水を２つの異なる吐水部から吐水及び吐水停止をそれぞれ独立して行うための２つの開閉弁と、該２つの開閉弁をそれぞれ独立して開閉操作するための２つの押釦とを備えた湯水混合水栓装置が特許文献１により知られている。
【０００３】
上記特許文献１に示された従来例にあっては、湯水混合部の左右両側の前方位置に上程前方に位置するように傾斜した２つの縦長の傾斜縦筒部を左右に離して配設し、各傾斜縦筒部内にそれぞれ開閉弁を入れ、各傾斜縦筒部の上端部に各開閉弁を開閉操作するための押釦を配置した構成となっており、２つの押釦を配置する部分を除いて湯水混合部、２つの左右に並設した傾斜縦筒部を断熱カバー部で覆い、２つの左右に並設した傾斜縦筒部の上端部（軸方向の端部）を押釦で覆う構成となっていた。
【０００４】
このように、従来にあっては、押釦では縦長の傾斜縦筒部の上端部を覆っているのみで、これ以外の装置の他の部分は断熱カバー部で覆っている。したがって、断熱カバー部によって覆う部分が多くなり、断熱カバー部の材料が多くかかっていた。
【０００５】
また、このように、押釦により縦長の傾斜縦筒部の上端部（軸方向の端部）を覆うものにおいては、縦長の傾斜縦筒部の軸方向の端部の面積が小さいので、押釦の大きさが縦長の傾斜縦筒部の軸方向の端部を覆う程度の大きさだと、操作面積が小さすぎ、このため、操作性をよくするため押釦の面積を傾斜縦筒部の上端部の面積よりも大きくしている。したがって、上記従来例にあっては、縦長の傾斜縦筒部は縦長で、押釦は傾斜縦筒部の軸方向に交差する方向である横方向（左右方向又は前後方向）に長くなり、この結果、装置が縦方向にも横方向にも長くなって、大型化してしまうという問題があった。
【０００６】
特に、縦長の傾斜縦筒部をそれぞれ離して左右に配置したものにおいては、断熱カバー部で覆う部分が広くなって装置全体が大型化すると共に、断熱カバー部の材料が多くかかり、コストも高くなっていた。
【特許文献１】特開２００４−９２０６９号公報
【発明の開示】
【発明が解決しようとする課題】
【０００７】
本発明は上記の従来の問題点に鑑みて発明したものであって、簡単な構成でレバーハンドルに筒体部を断熱する断熱機能を兼用させて断熱カバー部の材料を少なくし、合理的な構成でレバーハンドルの操作部の横長さを長く取って操作性を良くすることができ、更に装置を薄型でコンパクトにできる湯水混合水栓装置を提供することを課題とするものである。
【課題を解決するための手段】
【０００８】
上記課題を解決するために本発明に係る湯水混合水栓装置は、水と湯とを混合した湯水を吐水部から吐水及び吐水停止を行うための回動弁２３を軸方向が左右方向を向いた筒体部２０内に回動自在に嵌め込み、レバーハンドル３の後端部を回動弁２３の軸方向の一端部に取付けて筒体部２０の軸方向の端面に沿わせて筒体部２０の前方に突出させて該前方への突出部分に筒体部２０の前面の前方に位置する覆い部２８を設けると共に該覆い部２８から前方に操作部４を突出させ、筒体部２０及びレバーハンドル３の後端部を断熱カバー部１１で覆うと共に断熱カバー部１１の前面に設けた筒体部２０の前面の略全長に沿って形成した前面開口部３１をレバーハンドル３の覆い部２８で覆い、該覆い部２８から前方に向けて筒体部２０の軸方向に沿った操作部４を突出させて成ることを特徴とするものである。
【０００９】
このような構成とすることで、レバーハンドル３に設けた覆い部２８により断熱カバー部１１の前面に設けた筒体部２０の前面の略全長に沿って形成した前面開口部３１を覆うことで、覆い部２８が筒体部２０の前面を略全長にわたって覆って断熱することができ、レバーハンドル３に広い面積の断熱機能を持たせることができ、この分だけ断熱カバー部１１の材料が少なくなる。また、レバーハンドル３の操作部４が筒体部２０の前面の前方位置において筒体部２０の軸方向に沿って突出しているため、上下方向に薄型にでき、操作部４も筒体部２０の軸方向に沿うため、左右方向に長くすることができ、操作性が良くなる。
【００１０】
また、２つの異なる吐水部２から吐水及び吐水停止をそれぞれ独立して行うための２つの回動弁２３を筒体部２０内の軸方向の一方の片側半部と他方の片側半分とに回動自在に嵌め込み、一方の回動弁２３の軸方向の一端部に取付けた一方のレバーハンドル３を筒体部２０の一端面に沿わせると共に該一方のレバーハンドル３に筒体部２０の前面の一方の片側半分の前方に位置する覆い部２８を設けると共に該覆い部２８から前方に操作部４を突出させ、他方の回動弁２３の軸方向の他端部に取付けた他方のレバーハンドル３を筒体部２０の他端面に沿わせると共に該他方のレバーハンドル３に筒体部２０の前面の他の片側半分の前方に位置する覆い部２８を設けると共に該覆い部２８から前方に操作部４を突出させ、筒体部２０及び両レバーハンドル３の筒体部２０の端面に沿った部分を断熱カバー部で覆うと共に断熱カバー部の前面に設けた筒体部２０の前面の略全長に沿って形成した前面開口部３１を両レバーハンドル３の覆い部２８で覆うことが好ましい。
【００１１】
このように、２つの回動弁２３を一つの筒体部２０内に嵌め込み、筒体部２０の軸方向の両端面に２つの回動弁２３を操作する２つのレバーハンドル３を配置し、２つのレバーハンドル３の覆い部２８で筒体部２０の前面の略全長に沿って形成した前面開口部３１を覆うので、２つの回動弁２３、２つのレバーハンドル３を設けたにもかかわらず、簡単な構成で、２つの回動弁２３を軸方向に内装した筒体部２０の前面を２つの開閉用レバーハンドル３の覆い部２８で覆ってカバーの役目を兼用できると共に、全体をコンパクトで薄型化できる。
【００１２】
また、両開レバーハンドル３の覆い部２８からそれぞれ前方に向けて筒体部２０の軸方向に沿った操作部４を突出させると共に、両操作部４を筒体部２０の軸方向に沿って並設し、この並設した両操作部４の並設方向の長さの合計が筒体部２０の軸方向の長さより長いことが好ましい。
【００１３】
このような構成とすることで、筒体部２０の前方に筒体部２０の軸方向の全長以上の長さで２つの操作部４が存在することになって、２つの操作部４の横長さを長く取れて、操作性が良くなる。
【発明の効果】
【００１４】
本発明の請求項１記載の発明にあっては、上記のように構成したので、簡単な構成で、レバーハンドルに広い面積で筒体部を断熱する断熱機能を兼用させることができてその分、断熱カバー部の材料を少なくでき、また、筒体部の軸方向に沿って操作部が設けてあるので、筒体部の軸方向に沿った前方位置を有効に利用して、合理的な構成でレバーハンドルの操作部の横長さを長く取って操作性を良くすることができ、また、装置を薄型でコンパクトにできる。
【００１５】
また、請求項２記載の発明にあっては、上記請求項１記載の発明の効果に加えて、簡単な構成で、２つの回動弁を軸方向に内装した筒体部の前面を２つの開閉用レバーハンドルの覆い部で覆ってカバーの役目を兼用できると共に、全体をコンパクトで薄型化でき、その分断熱カバー部の材料も少なくてよい。
【００１６】
また、請求項３記載の発明にあっては、上記請求項２記載の発明の効果に加えて、筒体部の軸方向の全長以上の長さで２つの操作部を設けることができて、よりいっそう操作性が良くなる。
【発明を実施するための最良の形態】
【００１７】
以下、本発明を添付図面に示す実施形態に基いて説明する。
【００１８】
図１乃至図５には本発明の湯水混合水栓装置６の一実施形態が示してある。湯水混合水栓装置６は、基体１０に、湯水混合部１と、弁機構部９と、断熱カバー部１１を取付けて主体が構成してある。
【００１９】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００２０】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は略平板状をしていて、上面部が湯水混合用の押し下げ用の操作部１９ａ、下側が湯水混合用の押し上げ用の操作部１９ｂとなっている。
【００２１】
弁機構部９は、外郭を構成する左右方向に長くなった筒体部２０の軸方向（左右方向）の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの回動弁２３（２３ａ、２３ｂ）と、両回動弁２３の端部に連結されて各回動弁２３を回動操作するための２つのレバーハンドル３とを備えることで一つのユニットとして構成してある。
【００２２】
各回動弁２３はそれぞれ軸方向（左右方向）の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整することができるようになっている。２つの流出孔２２には後述のようにそれぞれ吐水部２が連通接続される。
【００２３】
筒体部２０内にそれぞれ回動自在に嵌め込んだ各回動弁２３の開口部２４と反対側の軸方向の端部には各レバーハンドル３の後端部の取付け部２７がそれぞれ筒体部２０の軸方向の両側端面に沿うように取付けてあり、この筒体部２０の両側端面に沿うように両回動弁２３の端部に取付けた２個のレバーハンドル３の前部が筒体部２０の前面よりも前方に突出形成してあって操作部４となっている。
【００２４】
図１示す実施形態では、取付け部２７の前端部から筒体部２０の前面よりも前方に突出するように形成した操作部４は、筒体部２０の前面よりも前方に筒体部２０の軸方向に沿って設けるもので、取付け部２７の前端部の軸方向の外側端部から筒体部２０の軸方向の中間部分まで至る横長さとなっており、両側のレバーハンドル３の前部に設けた両操作部４の後端部により筒体部２０の前面が覆われるようになっている。各操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００２５】
各操作部４は上方への押し上げ・下方への押し下げ操作のみが可能なように上下方向にのみ可動自在となり、各レバーハンドル３はそれぞれ操作部４を上に上げた状態又は下に下げた状態の一方が対応する回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。そして、各操作部４の上記開位置Ａと閉位置Ｂとの間が該当する吐水部２から吐水する湯水の流量を調整する水量調整域Ｃとなっている。
【００２６】
レバーハンドル３の操作部４は、湯温調整用レバーハンドル１８の湯温調整用の操作部１９とその断面形状が同じ又はほぼ同じ形状をしている。
【００２７】
本発明においては、上記のように、レバーハンドル３の操作部４が筒体部２０の軸方向に沿って突出しているため、上下方向に薄型にでき、操作部４も筒体部２０の軸方向に沿うため、左右方向に長くすることができて操作性が良くなる。
【００２８】
上記のようにユニット化された湯水混合部１と、ユニット化された弁機構部９とをそれぞれ基体１０にねじ具２９により固着することで取付けてある。
【００２９】
ここで、図１に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００３０】
この場合、ユニット化された弁機構部９の筒体部２０の軸方向の一端面に一方のレバーハンドル３を介して湯水混合部１の筒部１３の湯温調整用レバーハンドル１８を設けていない方の他端面を隣接配置されるものである。
【００３１】
また、湯水流出部１６と流入孔部２１とが接続管３４で連通接続される。
【００３２】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管４５ａ、４５ｂのうち一方、図３、図４においては流出管４５ａは先端部がそのまま吐水部２（カラン吐水部２ａ）となっていて、一方の流出孔２２ａの真下に配設してあって、下方に吐水するようになっている。
【００３３】
基体１０には更に断熱カバー部１１が取付けられ、断熱カバー部１１により弁機構部９の筒体部２０、両レバーハンドル３の後端部の取付け部２７、湯水混合部１の筒部１３を覆うようになっている。
【００３４】
断熱カバー部１１には前面部に前面開口部３１が設けてあり、この前面開口部３１から両レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００３５】
上記断熱カバー部１１の前面部に設けた前面開口部３１は左右方向の長さが筒体部２０の軸方向の長さに、取付け部２７の左右方向の巾（筒体部２０の軸方向と平行な方向の巾）の２倍の長さを加えた長さとなっている。
【００３６】
各レバーハンドル３の操作部４の後端に設けた覆い部２８により断熱カバー部１１の前面開口部３１を遮蔽するようになっており、これにより、レバーハンドル３を回動しても筒体部２０の前面が外部に露出することなく覆い部２８により覆われるようになっている。この結果、覆い部２８が筒体部２０の一部（前部）を覆う断熱カバーの役目を兼用し、断熱カバー部１１による断熱のために覆う面積を少なくして断熱カバー部１１の材料を少なくできる。
【００３７】
したがって、筒体部２０、操作部４の取付け部２７は断熱カバー部１１及び覆い部２８に覆われて、この部分が施工状態において外部に露出しないようになっている。
【００３８】
また、断熱カバー部１１は湯水混合部１の筒部１３を覆って筒部１３が施工状態において外部に露出しないようになっており、更に、この断熱カバー部１１の湯水混合部１を覆っている部分の前面部から前方に向けて一体に略平板状をしたダミー操作部３３が突出してある。
【００３９】
ここで、ダミー操作部３３の断面形状は、前述の操作部４、湯温調整用の操作部１９とその断面形状が同じ又はほぼ同じ形状をしているが断熱カバー部１１から一体に突出しているため押し下げ力、押し上げ力が作用しても断熱カバー部１１に対して動くことはない。
【００４０】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、２つの隣接するレバーハンドル３の各操作部４のうち一方の操作部４ａとの間に介在してある。このようにレバーハンドル３の操作部４と、湯温調整用レバーハンドル１８の湯温調整用の操作部１９との間にダミー操作部３３を介在させることで、操作部１９の操作の際に誤って湯温調整用の操作部１９を操作したり、あるいは、湯温調整用の操作部１９を操作する際に誤って操作部１９を操作することがないように、ダミー操作部３３が両者の仕切りの役目をする。
【００４１】
両レバーハンドル３の操作部４は、各操作部４が閉位置Ｂとなった状態で互いに上面が面一となり、更に、この操作部４が閉位置Ｂの状態で上面がダミー操作部３３の上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００４２】
また、湯温調整用レバーハンドル１８の湯温調整用の操作部１９は、湯温調整用の操作部１９の上面が上記ダミー操作部３３の上面と面一となった位置がちょうど湯温略４０℃となるように設定してある。したがって、湯温調整用レバーハンドル１８の湯温調整用の操作部１９が湯温調整用レバーハンドル１８の湯温調整用の操作部１９の上面とダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００４３】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００４４】
上記のような構成の湯水混合水栓装置６は、給水用接続管１４ａに水道管を接続し、給湯用接続管１５ａに給湯管を接続する。
【００４５】
また、図１乃至図５に示す実施形態の湯水混合水栓装置６は、浴室や洗面化粧台などに設定する例を示しており、他方の流出管４５ｂにはシャワーホース３５の一端が接続され、該シャワーホース３５の他端のシャワーヘッド３６が他方の吐水部２（シャワー吐水部２ｂ）となっている。
【００４６】
上記のように施工された湯水混合水栓装置６の使用に当たって、カラン吐水部２ａの吐水、止水をする場合は、一方のレバーハンドル３の操作部４を押し上げ操作、押し下げ操作することにより行い、また、シャワー吐水部２ｂの吐水、止水をする場合は、他方のレバーハンドル３の操作部４を押し上げ操作、押し下げ操作することにより行う。そして、これらの各レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００４７】
そして、本発明においては、各操作部４がいずれも押し下げ操作と押し上げ操作が反対方向の操作であるため、手探りであっても操作部４に手を添えて押し上げ操作又は押し下げ操作をすることで直接目で確認しなくても誤り無く操作ができ、このように、各操作部はいずれも押し上げ操作と押し下げ操作とで開閉が決まっているので、シャンプーなどで髪を洗っているときや、洗顔している時のように、湯水混合水栓装置６を目で見ることなく、手探りでレバーハンドル３の操作部４を探して、操作する場合でも誤操作することがない。
【００４８】
例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際、誤ってシャワー用の操作部４を止水側に操作しようとしても、シャワー吐水部２ｂは既に止水となっているので、シャワー吐水部２ｂから突然吐水されるというようなおそれがない。
【００４９】
また、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、誤ってカラン用の操作部４を止水側に操作しようとしても、既に止水しているため、カラン吐水部２ａから突然吐水されるというようなおそれがない。
【００５０】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００５１】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとする場合、あわてているので、誤って別の吐水部２の操作部４を止水側に操作しても、別の吐水部２から突然吐水されるというような事態が生じることがない。
【００５２】
上記のように、各レバーハンドル３の操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００５３】
したがって、本発明においては、複数の吐水部２に対応して、別部材としての複数の流量調整弁とこれを操作するための複数の操作部とを必要とせず、湯水混合水栓装置６の小型化、部品点数の削減が可能となる。また、各操作部４の上下方向の移動のみで対応する吐水部２からの吐水、止水と流量調整とが同時にできるので、操作性が向上する。
【００５４】
しかも、上記複数のレバーハンドル３が湯温調整用レバーハンドル１８と別体なので、複数のレバーハンドル３をそれぞれ独立して操作する際、いずれのレバーハンドル３を操作する際も誤って湯温が変えられて高温の湯や低温の水が吐出する恐れがない。
【００５５】
また、図１乃至図５に示す実施形態では各操作部４を下方に最大に押し下げた位置（最下端位置）が閉位置Ｂで、各操作部４を最大に押し上げた位置（最上端位置）が全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂがほぼ水平となっていてほぼ水平姿勢のダミー操作部３３と面一又はほぼ面一となっており、この場合は、湯水混合水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならなず、カラン吐水部２ａの使用が便利となる。
【００５６】
もちろん、本発明の湯水混合水栓装置６において、図６に示す実施形態のように、各操作部４を下方に最大に押し下げた位置（最下端位置）が全開位置Ａで、各操作部４を最大に押し上げた位置（最上端位置）が閉位置Ｂとしてもよいものである。この場合は、例えば、閉位置Ｂがほぼ水平となっていてほぼ水平姿勢のダミー操作部３３と面一又はほぼ面一となっていると、湯水混合水栓装置６の上方の空間に操作部４が突出せず、この部分を操作部４に邪魔されず、別の用途に使用したり、広い空間として利用できる。
【００５７】
また、上記各実施形態では、２つの吐水部２からの吐水及び吐水停止をそれぞれ独立して行うための２つの弁手段７と、該２つの弁手段７をそれぞれ独立して開閉操作するための２つのレバーハンドル３とを備えた湯水混合水栓装置６の例で説明したが、図７乃至図１０のように、吐水部２が１つ、弁手段７が１つ、レバーハンドル３が１つであってもよい。この実施形態においては弁機構部９の構成が異なるのみで、他は基本的な構成は同じである。
【００５８】
つまり、本実施形態では筒体部２０の軸方向の端部に設けた流入孔部２１と、筒体部２０の軸方向の略中間部に設けた流出孔２２と、筒体部２０内に回動自在に嵌め込んだ１つの弁手段７を構成する回動弁２３と、該回動弁２３の端部に連結されて回動弁２３を回動操作するための１つのレバーハンドル３とを備えることで一つのユニットとして構成してある。
【００５９】
回動弁２３は軸方向の一端部が開口部２４となり且つ他端部が閉塞された回動筒２５の外周部に孔２６を設けて構成してあり、この回動弁２３を筒体部２０内に嵌め込んであり、開口部２４は筒体部２０内の軸方向の一端部を介して流入孔部２１と連通しており、回動弁２３を回動することで、流出孔２２と各孔２６とを連通したり、非連通とすることで、回動弁２３の開閉及び連通の度合い（つまり開量）の調整を行って流量調整することができるようになっている。流出孔２２には先端が吐水部２となった流出管４５ａが連通接続される。
【００６０】
筒体部２０内にそれぞれ回動自在に嵌め込んだ回動弁２３の開口部２４と反対側の軸方向の端部にはレバーハンドル３の後端部の取付け部２７がそれぞれ筒体部２０の軸方向の端面に沿うように取付けてあり、この筒体部２０の端面に沿うように回動弁２３の端部に取付けたレバーハンドル３の前部が筒体部２０の前面よりも前方に突出形成してあって操作部４となっている。
【００６１】
取付け部２７の前端部から筒体部２０の前面よりも前方に突出するように形成した操作部４は、取付け部２７の前端部の軸方向の外側端部から筒体部２０の軸方向の他端部（取付け部２７が沿っていない方の端部）まで至る横長さとなっており、レバーハンドル３の前部に設けた操作部４の後端部により筒体部２０の前面が覆われるようになっている。操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっており、この覆い部２８により断熱カバー部２３の前面開口部３１を覆うようになっている。
【００６２】
なお、他の構成及び作用は前述の実施形態と同様であるので、省略する。
【００６３】
図１１乃至図１７には本発明の他の実施形態が示してある。本実施形態においては、カウンター本体４０の下面部に前述の湯水混合水栓装置６を配設して取付けた湯水混合水栓装置付きカウンター４１が示してある。本実施形態においては、湯水混合水栓装置６の大部分はカウンター本体４０の下面側に沿って配設されることでカウンター本体４０により隠されるようになっているが、湯水混合水栓装置６の複数のレバーハンドル３の各操作部４、ダミー操作部３３、湯温調整用レバーハンドル１８の湯温調整用の操作部１９がカウンター本体４０の前端から前方に突出している。そして、略平板状をした複数のレバーハンドル３の各操作部４がいずれも閉位置に位置し、湯温調整用レバーハンドル１８の湯温調整用の操作部１９が略４０℃の位置となって、複数のレバーハンドル３の操作部４の上面とダミー操作部３３の上面と、湯温調整用レバーハンドル１８の湯温調整用の操作部１９の上面とが面一となっている状態では各操作部４、ダミー操作部３３、湯温調整用の操作部１９が全体として一連の板状物のような外観となり、図１１（ａ）のように、板状のカウンター本体４０の前端部の下端縁から前方に全体として一連の板状物（操作部）が突出している外観となり、統一感があり、外観がよくなる。
【００６４】
図１１乃至図１７に示す実施形態においては、カウンター本体４０の下面部に前述の湯水混合水栓装置６を配設して取付けた湯水混合水栓装置付きカウンター４１において、各操作部４は、下方に最大に押し下げた位置（最下端位置）が閉位置Ｂで、各操作部４を最大に押し上げた位置（最上端位置）が全開位置Ａとしてあるが、図１８のように各操作部４を下方に最大に押し下げた位置（最下端位置）が全開位置Ａで、各操作部４を最大に押し上げた位置（最上端位置）が閉位置Ｂとしてもよいものである。
【００６５】
なお、上記した各実施形態においては、ダミー操作部３３を設けた例を示したが、ダミー操作部３３を設けないものであってもよい。
【００６６】
また、上記した各実施形態では２つの吐水部２のうち一方をカラン吐水部２ａ、他方をシャワー吐水部２ｂとした例を示したが、両方ともカラン吐水部２ａであってもよい。
【００６７】
また、各レバーハンドル３の各操作部４をそれぞれ略板形状をしている例で説明したが、覆い部２８から前方に向けて筒体部２０の軸方向に沿って突出したものであれば棒状あるいはリング形状をしたものであってもよい。
【図面の簡単な説明】
【００６８】
【図１】本発明の平面断面図である。
【図２】同上の斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図３】同上の縦断面図である。
【図４】同上の右側面図である。
【図５】同上の左側面図である。
【図６】本発明の他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図７】本発明の更に他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図８】同上のの平面断面図である。
【図９】同上の縦断面図である。
【図１０】同上の右側面図である。
【図１１】本発明の湯水混合水栓装置を付設したカウンターの斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図１２】同上の平面断面図である。
【図１３】同上の縦断面図である。
【図１４】同上の右側面図である。
【図１５】同上の左側面図である。
【図１６】同上のカウンター本体に取付ける湯水混合水栓装置の前方から見た斜視図である。
【図１７】同上のカウンター本体に取付ける湯水混合水栓装置の背方から見た斜視図である。
【図１８】本発明の湯水混合水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【符号の説明】
【００６９】
２  吐水部
３  レバーハンドル
４  操作部
１１  断熱カバー部
２０  筒体部
２３  回動弁
２８  覆い部
３１  前面開口部
【図１】
0005022166.tif 000002
【図２】
0005022166.tif 000003
【図３】
0005022166.tif 000004
【図４】
0005022166.tif 000005
【図５】
0005022166.tif 000006
【図６】
0005022166.tif 000007
【図７】
0005022166.tif 000008
【図８】
0005022166.tif 000009
【図９】
0005022166.tif 000010
【図１０】
0005022166.tif 000011
【図１１】
0005022166.tif 000012
【図１２】
0005022166.tif 000013
【図１３】
0005022166.tif 000014
【図１４】
0005022166.tif 000015
【図１５】
0005022166.tif 000016
【図１６】
0005022166.tif 000017
【図１７】
0005022166.tif 000018
【図１８】
0005022166.tif 000019